(57)【要約】      （修正有）【課題】本の中央である綴じ代に近い部分が浮き上がってしまいスキャナーの焦点範囲から外れ、スキャンされた画像がぼやけてしまうことがないスキャナーを提供する。【解決手段】頁と頁の間に、栞のように挟み込む薄いスキャン部を挿入する。スキャン部は原稿台ガラス、光源、レンズ、映像素子および、これらを保持し、移動させる機構のみを配置し、５ミリ程度の非常に薄い構造となる。この装置により、本を無理に広げることなく閉じ込み部付近まで紙面に密着させることが可能となり、本に損傷を与えることなく鮮明なスキャン画像を取ることが出来る。またこの機構では、本の上面と下面をスキャンする機構を搭載することが可能となるため、一度のスキャン工程で上下面の画像を同時にスキャンすることが可能となる。【選択図】図１
2013162367.tif 000002
【特許請求の範囲】
【請求項１】
スキナー装置に於いて、本の間に薄型のスキャン部を挟み込むことによって本の損傷を避けながら、頁の浮き上がりを防止し、正確なスキャンを行うことが可能となる装置。
【請求項２】
スキャナー装置に於いて、スキャンの画像入力装置を本の上下の頁に対応するように２個配することにより、上下の頁を同時にスキャンすることが可能となる装置。
【請求項３】
スキャナー装置に於いて、スキャンの走査を行う際に、画像入力部が斜めに傾くこと防止するため、画像入力部の両端に連動回転する歯車を配置し、スキャナー本体に固定された直線歯車に対して移動する機構。
【請求項４】
スキャナー装置に於いて、画像入力部に最低限必要となるLED光源、光源拡散板、円筒レンズおよび撮像素子のみを配することによって、本の頁間に挿める程、薄くすることが可能となる装置。
【発明の詳細な説明】
【技術分野】
【０００１】
本発明は製本された書籍を電子化するためのスキャナーに関するものである    
【先行技術文献】
【特許文献】
【０００２】
【特許文献１】米抄２００２／１９１９９４
【発明の概要】
【発明が解決しようとする課題】
【０００３】
電子書籍が普及することによって、既に製本された書籍をスキャンし電子化する需要が高まっている。従来のスキャナーでは、本の中央である綴じ代の部分が完全に開かないため、そのままスキャナーの原稿台ガラスに載せても、綴じ代に近い部分が浮き上がってしまいスキャナーの焦点範囲から外れ、スキャンされた画像がぼやけてしまう。
【０００４】
それを解決するために特許文献１のように、原稿台ガラス面を斜めに配置し、本を開く角度を少なくする案も出されており、同類の案として原稿台ガラスの範囲をスキャナーの端末部まで延長し、延長した端末部に本の閉じ込み間際まで近付けることで、本を開く角度を直角程度まで抑えることが出来る製品が開発されているが、それでも本を開くことによる中央部の浮きは解決できず、無理に開こうとすれば、本の閉じ込み部を損傷させてしまう。
【０００５】
これらの問題点を解決し、尚且つスキャンをする効率を上げるために、製本された本を閉じ込部付近で裁断してからスキャンを行う方法が取られているが、裁断された本は再利用が出来なくなってしまう。
【課題を解決するための手段】
【０００６】
頁と頁の間に、栞のように挟み込む薄いスキャン部を挿入する。スキャン部は原稿台ガラス、光源、レンズ、映像素子および、これらを保持し、移動させるキャリッジ、駆動プーリー、駆動ベルトのみを配置し、５ミリ程度の非常に薄い構造となる。
【０００７】
この装置により、本を無理に広げることなく閉じ込み部付近まで紙面に密着させることが可能となり、本に損傷を与えることなく鮮明なスキャン画像を取ることが出来る。
【０００８】
またこの機構では、駆動機構の中心から点対象の位置に、本の上面と下面をスキャンする光源、レンズ、映像素子および、これらを保持し、移動させるキャリッジを、厚みが増すことなく配置できるため、一度のスキャン工程で上下面の画像を同時にスキャンすることが可能となる。
【発明を実施するための形態】
【実施例】
【０００９】
以下、図面を参照して本発明の好ましい実施形態について詳細に説明する。
図１は本発明の機構要素を取り出した状態の斜視図である。
図２は本発明であるブックスキャナーをスキャンするため、本の頁間へ装着した状態の断面図である。
図３は画像入力部を構成するLED光源、光源拡散板、ミラー、円筒レンズ、および撮像素子が厚みを取らないように配置した実装例を示す斜視図である。
図４は本の上面と下面を同時にスキャンするために、二つの画像入力部とこれらを保持し移動させるキャリッジを、駆動機構の中心から点対象の位置に配置した実装例を示す斜視図である。
図５は図４で示した実装例を断面図で表したものである。
【００１０】
図１に示されているように、駆動源であるステップモータ１はスキャナー本体に固定されており、出力軸には駆動プーリー１が取り付けられている。駆動プーリー２の回転軸はスキャナー本体に固定されており、駆動プーリー２と駆動プーリー３は駆動ベルト３により連動する。
【００１１】
キャリッジ１２に回転軸を固定された駆動プーリー３は駆動ベルト４により回転し、上部に設けられた歯車がスキャナー本体に固定された駆動ベルト８と噛み合うことで、ガイドレール１１に沿ってキャリッジ１２を移動させる。
【００１２】
駆動プーリー６の回転軸もキャリッジ１２に固定されており、駆動ベルト７によって駆動プーリー３の回転を伝達される。また上部に設けられた歯車がスキャナー本体に固定された駆動ベルト９と噛み合うことで、ガイドレール１１に沿った動きを同時にキャリッジ１２へ伝え、キャリッジ１２が移動する際に倒れが発生することを防止している。キャリッジ１２には画像入力部を構成するLED光源１５、光源拡散板１６、ミラー１７、円筒レンズ１８、および撮像素子１９が固定されている。
【００１３】
図２に示されているように、本１３の頁間へ装着されたブックスキャナー１４の画像入力部は、ステップモータ１の回転により本の上段から下段の間をスムーズに移動し、画像をスキャンすることが可能となる。
【００１４】
図３は画像入力部を構成するLED光源１５、光源拡散板１６、ミラー１７、円筒レンズ１８、および撮像素子１９が厚みを取らないように配置した実装例を示す斜視図である。
【００１５】
ＬＥＤ光源１５から発光された光は、光源拡散板１６により拡散され、矢印２０の方向へ上面の原稿台ガラス面の上に設置された本へ照射し、矢印２１の方向へ画像を反射させる。
【００１６】
ミラー１７により反射された光は、矢印２２の方向へ円筒レンズ１８を経由し、撮像素子１９へ送られる。
【００１７】
図４は本１３の上面と下面を同時にスキャンするために、画像入力部２３と画像入力部２４と、これらを保持し移動させるキャリッジ１２を、駆動ベルト７の中心から点対象の位置に配置した実装例を示す斜視図である。
【００１８】
図５は図４で示した実装例を断面図で表したものである。画像入力部２３は原稿台ガラス上面２５に接している本１３の上面頁をスキャンし、画像入力部２４は原稿台ガラス上面２６に接している本１３の下面頁をスキャンする。スキャンする方向は矢印２７である。
【図面の簡単な説明】
【００１９】
【図１】本発明の好ましい実施形態である機構要素を取り出した状態の斜視図である。
【図２】本発明であるブックスキャナーを、スキャンするため本の間へ装着した状態の断面図である。
【図３】画像入力部を構成するLED光源、光源拡散板、ミラー、円筒レンズ、および撮像素子が厚みを取らないように配置した実装例を示す斜視図である。
【図４】本の上面と下面を同時にスキャンするために、二つの画像入力部とこれらを保持し移動させるキャリッジを、駆動機構の中心から点対象の位置に配置した実装例を示す斜視図である。
【図５】図４で示した実装例を断面図で表したものである。
【符号の説明】
【００２０】
１：    ステッピングモータ
２：    駆動プーリー２
３：    駆動プーリー３
４：    駆動ベルト４
５：    駆動プーリー５
６：    駆動プーリー６
７：    駆動ベルト７
８：    駆動ベルト８
９：    駆動ベルト９
１０：  画像入力部１０  
１１：  ガイドレール
１２：  キャリッジ
１３：  本
１４：  ブックスキャナー
１５：  ＬＥＤ光源
１６：  光源拡散板
１７：  ミラー
１８：  円筒レンズ
１９：  撮像素子
２０：  矢印２０
２１：  矢印２１
２２：  矢印２２
２３：  画像入力部２３
２４：  画像入力部２４
２５：  原稿台ガラス上面
２６：  原稿台ガラス下面
２７：  矢印２７
【図１】
2013162367.tif 000003
【図２】
2013162367.tif 000004
【図３】
2013162367.tif 000005
【図４】
2013162367.tif 000006
【図５】
2013162367.tif 000007